(57)【要約】      （修正有）【課題】注入孔へ注入する直前に止水剤と硬化剤が混合できるよう２液混合注入構造を有する止水層形成用２液混合注入装置を提供する。【解決手段】構造物の漏水欠陥部に止水層を形成するための止水剤及び硬化剤の注入装置において、止水剤および硬化剤それぞれの２液混合注入装置への注入口装着部が、止水剤注入口装着部及び硬化剤注入口装着部において接合され、更に薬剤混合突起部を有する混合芯は、混合芯装着部に装着された後、２液混合注入装置への注出口装着部が２液混合注出口装置部で接合され、止水剤と硬化剤の２液が混合される２液混合注出口４として構成され、混合された２液は注入孔９に打ち込まれたノズルを通り、漏水欠陥部に止水層１０を形成する止水層形成用２液混合注入装置１のため、強固な止水層を時間通りに形成出来、注入孔へ注入する直前に止水剤と硬化剤を混合出来るので、薬剤の無駄の無い優れた装置となる。【選択図】図１
0003149940.tif 000002
【実用新案登録請求の範囲】
【請求項１】
構造物の漏水欠陥部に止水層を形成するための止水剤及び硬化剤の注入装置において、１液目としての止水剤が止水剤注入装置（５）より止水剤導入パイプ（７）を通り、止水剤導入パイプ接合部（２１）で接合された薬剤通過ノズル部（２２）を経て予め球（２３）とスプリング（２４）の逆止弁構造を有する止水剤注入口（２）として形成された部位を通り、２液目としての硬化剤も同様に硬化剤注装置（６）より硬化剤導入パイプ（８）を通り、硬化剤導入パイプ接合部（２１）で接合された薬剤通過ノズル部（２２）を経て予め球（２３）とスプリング（２４）の逆止弁構造を有する硬化剤注入口（２）として形成された部位を通り、止水剤および硬化剤それぞれの２液混合注入装置への注入口装着部（２０）が、止水剤注入口装着部（１２）及び硬化剤注入口装着部（１３）において接合され、更に薬剤混合突起部（１９）を有する混合芯（１８）は、混合芯装着部（１５）に装着された後、２液混合注入装置への注出口装着部（１６）が２液混合注出口装置部（１４）で接合され、止水剤と硬化剤の２液が混合される２液混合注出口（４）として構成され、混合された２液は注入孔（９）に打ち込まれたノズル（１７）を通り、漏水欠陥部に止水層（１０）を形成することを特徴とする止水層形成用２液混合注入装置（１）。
【考案の詳細な説明】
【技術分野】
【０００１】  本考案は、コンクリート構造物の施工欠陥、経年変化、何らかの外力による亀裂などに起因する漏水を、漏水欠陥部に止水層を形成させて抑制し、それら構造物の機能を復旧させるための止水層形成用２液混合注入装置に関する。
【背景技術】
【０００２】  従来、コンクリート構造物の漏水欠陥部の背面に、止水剤としての多量のセメントミルクなどを注入する工法により、漏水を防止する方法が知られている。【０００３】  又、適切な止水剤の注入量まで自動的に注入を行う導引式止水剤注入装置が知られている。
【先行技術文献】
【特許文献】
【０００４】  登録実用新案第３０６６６０９号
【考案の概要】
【考案が解決しようとする課題】
【０００５】  これらの止水剤注入装置や方法では、既設のコンクリート部との親和性に欠けたり、コンクリート構造物の漏水欠陥部に止水剤を拡散浸透出来、強固な止水層を形成するための硬化剤を混ぜ合わせるタイミングが重要となり、従来の硬化剤を既に含有した止水剤としての１液とした注入方法や装置では、硬化に必要な時間や期間の予想が立てづらく、施工時間や期間の幅を大きく取らざるを得ない課題があった。
【課題を解決するための手段】
【０００６】  スラグ系微粒子セメントを主成分とする止水剤をコンクリート構造物の漏水欠陥部に拡散浸透硬化させ、強固な止水層を時間通りに形成させるために、注入孔へ注入する直前に止水剤と硬化剤が混合出来るよう２液混合注入構造を有する止水層形成２液混合注入装置としたものである。
【考案の効果】
【０００７】  スラグ系微粒子セメントを主成分とする止水剤をコンクリート構造物の漏水欠陥部に拡散浸透硬化させ、強固な止水層を時間通りに形成出来る。
しかも当装置では、注入孔へ注入する直前に止水剤と硬化剤を混合出来るので、薬剤の無駄の無い優れたものとなる。
更に予定通りに止水層を硬化形成することが出来るため、少人数の規模で止水工事が施工出来るようになり、トンネル内、地下道、地下室やベランダなどの狭いスペースでの工事施工が可能となる。
【図面の簡単な説明】
【０００８】
【図１】  本考案の一例を示した斜視図である。
【図２】  本考案の一例を示した断面図である。
【図３】  本考案の一例を示した断面図である。
【図４】  本考案の一例を示した断面図である。
【図５】  本考案の一例を示した斜視図である。
【考案を実施するための形態】
【０００９】  本考案における止水層形成２液混合注入装置の大きさ、デザイン、材質、製造方法等は特に限定される事はないが、その構成部品も含めて大量生産出来るように樹脂成型されることが好ましい。
各薬剤注入口、混合注出口の装着方法もネジ止めされるのが好ましく、取り扱いやすいものとなる。
【実施例】
【００１０】  以下、本考案の一実施例を、図１、図２、図３、図４及び図５で説明するがこれによって本考案はなんら限定されるものではない。【００１１】  図１は本考案の一例のコンクリート構造物の漏水欠陥部の斜視図である。
樹脂性の止水層形成２液混合注入装置（１）に止水剤注入口（２）、硬化剤注入口（２）それぞれの２液混合注入装置への注入口装着部（２０）が、止水剤注入口装着部（１２）及び硬化剤注入装着部（１３）にＭ１６のタップで装着されている。
それぞれの注入口には、薬剤が導入されるパイプの接合部が有り、止水剤導入パイプ（７）は止水剤導入パイプ接合部（２１）と、硬化剤導入パイプ（８）は硬化剤導入パイプ接合部（２１）で接合されており、各薬剤が止水剤注入装置（５）及び硬化剤注入装置（６）からポンプ等の手段で送り出される。
なお２液混合注入装置への注入口装着部（２０）にはそれぞれ薬剤通過ノズル部（２２）の内径よりも大きめの球（２３）と線径０．８ｍｍ程度のスプリング（２４）が装着されており、これによって各薬剤が逆流しないよう逆止弁となっている。
一方、止水剤と硬化剤の２液が混合される２液混合注出口（４）は、薬剤混合突起部（１９）を有する混合芯（１８）が、混合芯装着部（１５）に装着された２液混合注入装置への注出口装着部（１６）と、２液混合注出口装置部（１４）においてＭ１６のタップで接合される。
混合された止水剤と硬化剤の２液は注入孔（９）にハンマーなどの手段で打ち込まれたノズル（１７）を通り、砂礫層（１１）と擁壁部（３）との間に止水層（１０）を形成するよう注入されることとなる。
また工事が終了の際は、２液混合注出口（４）のノズル（１７）を折り、注入孔（９）に残したまま放置出来る。
【産業上の利用の可能性】
【００１２】  スラグ系微粒子セメントを主成分とする止水剤をコンクリート構造物の漏水欠陥部に拡散浸透硬化させ、強固な止水層を計画の時間通りに形成出来る。
そして、注入孔へ注入する直前に止水剤と硬化剤の２液を混合出来るので、薬剤使用量の無駄の無い優れたものとなる。
更に計画通りに止水層を硬化形成することが出来るため少人数の規模で止水工事が施工出来ることとなり、トンネル内、地下道、地下室やベランダなどの狭いスペースでの工事施工が可能となり、公共性の高い土木事業関係のみならず、一般家庭にも適応範囲が広がるものとなる。
【符号の説明】
【００１３】１  止水層形成用２液混合注入装置  ２  止水剤注入口  ２’  硬化剤注入口  ３  擁壁部  ４  ２液混合注出口  ５  止水剤注入装置  ６  硬化剤注入装置  ７  止水剤導入パイプ  ８  硬化剤導入パイプ  ９  注入孔  １０  止水層  １１  砂礫層  １２  止水剤注入口装着部  １３  硬化剤注入口装着部  １４  ２液混合注出口装着部  １５  混合芯装着部  １６  ２液混合注入装置への注出口装着部  １７  ノズル  １８  混合芯  １９  薬剤混合用突起部  ２０  ２液混合注入装置への注入口装着部  ２１  止水剤導入パイプ接合部  ２１’  硬化剤導入パイプ接合部  ２２  薬剤通過ノズル部  ２３  球  ２４  スプリング
【図１】
0003149940.tif 000003
【図２】
0003149940.tif 000004
【図３】
0003149940.tif 000005
【図４】
0003149940.tif 000006
【図５】
0003149940.tif 000007